(57)【要約】【課題】簡単に被験者の属性を知るための表示具、特に化粧品店、薬局等の店頭や、自宅において簡単に自己の美容上の特性等を知るための表示具を提供すること。【解決手段】質問枠と記録枠を有する表示具であって、質問枠は、質問項目欄と、当該質問項目に対する回答が肯定的な場合に記録枠中の各記録欄に記録すべき印の数を記載した指示欄により構成され、記録枠は、分類すべき属性に対応した複数の記録欄で構成されており、各質問項目の回答が肯定的であった場合に指示欄で指定する印の数を各記録欄中に記録し、最終質問項目に回答した後の各記録欄の累積の印の数を比較し、印が最大であった記録欄に対応する属性を被験者の属性と判定する被験者の属性表示具およびそれを用いたカウンセリング方法。【選択図】  図１
2004154374.tif 000002
【特許請求の範囲】
【請求項１】
質問枠と記録枠を有する表示具であって、質問枠は、質問項目欄と、当該質問項目に対する回答が肯定的な場合に記録枠中の各記録欄に記録すべき印の数を記載した指示欄により構成され、記録枠は、分類すべき属性に対応した複数の記録欄で構成されており、各質問項目の回答が肯定的であった場合に指示欄で指定する印の数を各記録欄中に記録し、最終質問項目に回答した後の各記録欄の累積の印の数を比較し、印が最大であった記録欄に対応する属性を被験者の属性と判定する被験者の属性表示具。
【請求項２】
質問項目が複数の美容上の現象に関するものであり、記録欄により表示される被験者の特性が美容面での特性である請求項第１項記載の被験者の属性表示具。
【請求項３】
質問項目が５項目以上である請求項第１項または第２項記載の被験者の属性表示具。
【請求項４】
被験者の属性が肌の状態に関する属性である請求項第１項ないし第３項の何れかの項記載の被験者の属性表示具。
【請求項５】
請求項第１項ないし第４項記載の被験者の属性表示具を用いてカウンセリングすることを特徴とするカウンセリング方法。
【請求項６】
カウンセリングが美容面でのカウンセリングである請求項第５項記載のカウンセリング方法。
【請求項７】
カウンセリングが肌診断である請求項第５項または第６項記載のカウンセリング方法。
【発明の詳細な説明】
【０００１】
【発明の属する技術分野】
本発明は、被験者の属性表示具およびそれを用いたカウンセリング方法に関し、更に詳細には、簡単に、楽しみながら質問に答えてゆくことにより、自分の属性を知ることのできる被験者の属性表示具およびそれを用いたカウンセリング方法に関する。
【０００２】
【従来の技術】
一般に人間が有する特性は、それぞれいくつかの属性に区別されることが多い。例えば、人の性質については、理知的か情熱的かとか、柔軟か頑固か等の属性に分類されることがあり、それらの属性について関心をもつものである。特に、若い女性などでは、肌や髪等の身体的特徴についての分類、評価に敏感であるといえる。
【０００３】
ところで、ある被験者の特性が、いくつかに分類された属性のどこに入るのかについては、経験的に決めることが多かったが、判断に曖昧さが残るという問題があった。一方、数学的手法を利用して被験者の属性を判断する方法も考えられるが、これらの手法を用いるためには、コンピュータ等に数値化したデータを入力する必要があり、また、特殊な統計解析プログラムを必要とするため簡便なものとは言い難かった。特に、店頭や、自宅において簡単にできるものではなかった。
【０００４】
【発明が解決しようとする課題】
従って、本発明の課題は、簡単に被験者の属性を知るための表示具、特に化粧品店、薬局等の店頭や、自宅において簡単に自己の美容上の特性がいかなる属性に分類されるのかを知るための表示具を提供することである。
【０００５】
【課題を解決するための手段】
本発明者らは、上記課題を解決すべく検討を行った結果、複数の質問と、これに対し所定の属性中で肯定的な回答を行う人の割合を予め調べ、これをポイント化し、記録欄に累積的に示すことにより、簡単に楽しみながら自己の属性を知ることができることを見出し、本発明を完成した。
【０００６】
すなわち本発明は、質問枠と記録枠を有する表示具であって、質問枠は、質問項目欄と、当該質問項目に対する回答が肯定的な場合に記録枠中の各記録欄に記録すべき印の数を記載した指示欄により構成され、記録枠は、分類すべき属性に対応した複数の記録欄で構成されており、各質問項目の回答が肯定的であった場合に指示欄で指定する印の数を各記録欄中に記録し、最終質問項目に回答した後の各記録欄の累積の印の数を比較し、印が最大であった記録欄に対応する属性を被験者の属性と判定する被験者の属性表示具である。
【０００７】
また本発明は、上記属性表示具を用いてカウンセリングするカウンセリング方法である。
【０００８】
【発明の実施の形態】
以下、本発明の被験者の属性表示具（以下、「表示具」という）の一態様を示す図面と共に発明を説明する。
【０００９】
図１は、被験者の肌の状態の属性を示すための表示具を示す平面図である。図中、１は表示体、２は質問枠、３は記録枠を示す。
【００１０】
本発明の表示体１は、紙、プラスチックシート等、記録ができるものであれば、どのような材質のものを用いて作成しても良い。また、表示具の印刷は、見やすくするため、カラー印刷等とすることが好ましい。
【００１１】
この表示体１上の質問枠２は、複数の肌状態に関する質問項目欄２ａと、この回答が肯定的である場合に、各属性欄に記録すべき印の数が記載された指示欄２ｂより構成される。ここで記録すべき印の数は、肌についての属性と肌状態の統計的解析から導かれたものであり、０ないし３から選ばれる。また、記録される属性の欄は、１個とは限られない。なお、質問項目欄２ａの項目数は、特に制限はないが、５項目以上あればより有意な評価が可能となる。
【００１２】
一方、表示体１上の記録枠３は、属性数に対応した複数の記録欄３ａで構成される。この複数の記録欄３ａは、典型的な各属性の肌を有する被験者が指示欄２ｂで指示される最大印数程度の長さとすることが好ましい。なお、記録欄３ａでの記録には、枠内に印を記入する方法の他、パンチング等で穴をあける方法も利用できる。
【００１３】
この複数の記録欄３ａでの被験者の回答の記録は次のようにして行う。まず、質問項目欄２ａの最初の質問事項（Ｑ１）について、回答する。そして、この回答が肯定的（イエス）である場合は、指示欄２ｂの指示に従い、記録欄３ａのそれぞれに指示に従った数の印を記録する。例えば、最初の「にきび・吹き出物はできますか？」という質問項目に対する回答が「ＹＥＳ」であれば、指示欄２ｂの指示に従い、記録欄Ａに印を３つ、記録欄ＢおよびＣには０個の印を付ける。
一方、回答が「ＮＯ」の場合には、何れの記録欄にも印を付けない。
【００１４】
次に、質問項目欄２ａの二番目の質問事項（Ｑ２）についても同様に回答し、回答が肯定的な場合は、指示欄２ｂの指示に従い、各記録欄３ａに指示された数の印を付ける。このように、順次引き続いて質問項目に答え、回答が肯定的な場合は指示欄２ｂの指示に従い各欄に印を付けて行く。そして、最後の質問事項に答え終わった後に、各記録欄に記入された印の数を比較し、最も多く印があった記録欄に対応する属性を被験者の属性とすることができる。
【００１５】
このように、質問項目に対し回答が肯定的であるごとに、指示に従って複数の記録欄に印を記録してゆくことにより、被験者の属性を容易に判断することが可能となる。
【００１６】
なお、図１の表示具においては、記録欄３ａが３種、すなわち、属性を３種類としていたが、もっと多くの属性に分類することは可能であるし、また、属性同士は対立関係である必要はなく、オーバーラップするような属性を利用してもよい。
【００１７】
以上説明した図１の表示具は、肌の属性についてのものであるが、これに限らないことはいうまでもない。すなわち、質問項目欄２ａ、指示欄２ｂおよび記録欄３ａを適宜変更することにより種々の美容上の特性や、それ以外の社会的あるいは心理的特性の属性評価においても利用することが可能である。
【００１８】
本発明の表示具を使用することにより、種々の事項について、被験者の属性を簡単に知ることができ、これを元にカウンセリングを行うことも可能となる。例えば、図１の表示具を利用して肌についての属性（油性肌か乾燥肌か）を知ることができれば、これを基にし、肌の手入れ等や、使用化粧料についてカウンセリングすることが可能となる。
【００１９】
特に、属性と商品との関連付けをしておけば、被験者に合った適切な商品の選択が容易となる。
【００２０】
【発明の効果】
本発明の表示具は、指示欄に記載された指示に従い、記録欄に印を付けていくだけで、簡単に被験者の属性を知ることができるものである。また、判定までの経過が、見やすく、ゲーム的な感覚もあるものである。
【００２１】
従って、本発明の表示具は、種々の場面において被験者の属性を簡単に知ることができるものであり、特に、化粧品等の販促品等として、店頭や自宅で楽しみながら簡単に自分の特性がいかなる属性に分類されるかを知るために利用できるものである。
【図面の簡単な説明】
【図１】本発明の表示具の一態様を示す図面
【符号の説明】
１  …  …  表示体
２  …  …  質問枠
２ａ…  …  質問項目欄
２ｂ…  …  指示欄
３  …  …  記録枠
３ａ…  …  記録欄
以    上
【図１】
2004154374.tif 000003